(57)【要約】【課題】周波数ホッピング機能を有するＡＭ無線機ににおいて、周波数ホッピング送信機とその周波数切替え方法に係り、特に受信時のノイズを低減することができる周波数ホッピング方式ＡＭ無線機に関する。【解決手段】周波数ホッピング動作させる送受一体型ＡＭ無線機において、周波数切替え時の送信信号の欠落時間を固定化することにより、振幅変調信号に生じる歪を低減した送信信号を出力し、受信側での受信時ポップノイズを低減することができる周波数ホッピング方式の無線機を提供する。【選択図】　　　　図１
2004088415.tif 000002
【特許請求の範囲】
【請求項１】
搬送波を周波数ホッピングして送信情報によりＡＭ変調し、該ＡＭ変調により生成された送信信号を送信するときの周波数切替え方法において、
周波数切替えタイミング以前に、予め周波数切替え予告信号として、第１の基準タイミング信号を発生させる手段と、
前記第１の基準タイミング信号を所定の時間後に、第２の基準タイミング信号を発生させる手段と、
前記第２の基準タイミング信号を用いて、前記送信信号をオフにするための制御を行う手段と、
前記送信信号がオフの期間に、前記搬送波の周波数の切替えを行う手段と、
前記第２の基準タイミング信号を用いて、前記送信信号を再びオンにするための制御を行う手段により、
周波数切替え時点の前後において前記送信信号を所定の期間オフとし、
そのオフ期間を有した送信信号により前記周波数ホッピングした搬送波をＡＭ変調することを特徴とする周波数ホッピングＡＭ無線機の周波数切替え方式。
【請求項２】
搬送波を周波数ホッピングして送信情報によりＡＭ変調し、該ＡＭ変調により生成された送信信号を送信するときの周波数切替え方法において、
周波数ホッピングのタイミングに同期して搬送波の周波数を発生させる手段と、周波数切替えタイミング以前に、予め周波数切替え予告信号として、第１の基準タイミング信号を発生させる手段
を備える周波数信号発生部と、
前記第１の基準タイミング信号発生を起点とした複数の所定の時間経過後に、複数の第２の基準タイミング信号を発生させる手段と、
前記複数の第２の基準タイミング信号を用いて、前記送信信号をオフにするための出力制御信号を発生させる手段と、
前記送信信号がオフの期間に、前記搬送波の周波数の切替えを行う手段と、
前記第２の基準タイミング信号を用いて、前記送信信号を再びオンにするための出力制御信号を発生させる手段
を備えるタイミング制御部と、
周波数切替えタイミングの前後においての所定期間、該ＡＭ変調波の送信信号の変調信号出力をオフにする、送信信号の変調出力を行う送信部と、
周波数切替えタイミングの前後においての所定期間、該ＡＭ変調波の送信信号の増幅出力をオフにする、送信信号の増幅出力を行う電力増幅部と、
を備えたことを特徴とする周波数ホッピング方式ＡＭ無線機。
【発明の詳細な説明】
【０００１】
【発明の属する技術分野】
周波数ホッピング機能を有するＡＭ無線機において、周波数ホッピング送信機とその周波数切替え方法に係り、特に受信時のノイズを低減することができる周波数ホッピング方式ＡＭ無線機に関する。
【０００２】
【従来の技術】
周波数ホッピングは、狹帯域変調信号を広帯域に拡散する周波数変換を行うものである。従来の周波数ホッピング方式を実現する無線機について図３および図４を用いて説明する。図３は、従来の周波数ホッピング方式無線機のブロック図である。従来の無線機は、送受一体型ＡＭ無線機を周波数ホッピング方式で動作させている。図４は、従来の周波数ホッピング方式無線機の周波数ホッピング動作時における、周波数の切替わり、送信／受信の切替わりおよび変調信号波形についてのタイミング図である。
【０００３】
従来の無線機の各部を具体的に説明する。図３に示すように、周波数信号発生部３−１と、受信部（ＡＭ復調方式）３−２と、送信部（ＡＭ変調方式）３−３と、高速可変フィルタ３−４と、電力増幅部３−６と、送信／受信切替スイッチ（ＳＷ）３−５と、電力増幅部３−６から構成されている。
【０００４】
周波数信号発生部３−１は、時々刻々と周波数を切替えて任意の周波数を決定し、特定パターンに従って特定周波数に切替え、周波数の切替えタイミングを指示する周波数信号を受信部３−２（ＡＭ復調方式）、送信部（ＡＭ変調方式）３−３、送信／受信切替スイッチ（ＳＷ）３−５および高速可変フィルタ３−７に出力する。周波数信号発生部３−１は、プレス信号により、送信／受信の切替え制御が行われる。周波数信号発生部３−１は、送信状態では、送信部（ＡＭ変調）３−３へ送信周波数ｆｔｘを出力し、受信状態では、受信部（ＡＭ復調方式）３−２へ受信周波数ｆＬｏを出力する。
【０００５】
受信部（ＡＭ復調方式）３−２は、周波数信号発生部３−１から受信周波数ｆＬｏを受け取る。受信部（ＡＭ復調方式）３−２は、周波数信号発生部３−１からの周波数信号に同調したタイミングにより、受信周波数を切替える。
【０００６】
送信部（ＡＭ変調方式）３−３は、周波数信号発生部３−１から送信周波数ｆｔｘを受け取る。送信部（ＡＭ変調方式）３−３は、周波数信号発生部３−１からの周波数信号に同調したタイミングにより、送信周波数を切替え、送信信号を出力する。送信部（ＡＭ変調方式）３−３は、プレス信号により、送信／受信の切替え制御が行われる。
【０００７】
高速可変フィルタ３−４は、周波数信号発生部３−１からの周波数信号に同調したタイミングで制御される電子式フィルタである。高速可変フィルタ３−４は、受信時にはフロントエンドのフィルタとして機能し、送信時にはホッピング動作時に発生する目的外の周波数成分を除去するフィルタである。
【０００８】
送信／受信切替スイッチ（ＳＷ）３−５は、プレス信号により、送信／受信の切替え制御が行われる。送信／受信切替スイッチ（ＳＷ）３−５は、周波数信号発生部３−１からの周波数信号に同調したタイミングにより、送信／受信の切替えが行われる。
【０００９】
電力増幅部３−６は、プレス信号により、送信／受信の切替え制御が行われる。電力増幅部３−６は、送信状態では、送信信号を増幅し出力を行う。
【００１０】
時々刻々と周波数を切替えて任意の周波数を決定し、特定パターンに従って特定周波数に切替え、周波数の切替わるタイミングを、図４を用いて説明する。周波数信号は、特定のアルゴリズムでｆ１→ｆ２→ｆ３…と切替わる。プレス信号により送信／受信と状態が切替り、送信時には送信周波数ｆｘｔｘが用いられ、受信状態時には受信周波数ｆｘＬｏが用いられる。送信状態においては、受信状態から送信状態に切替ると同時に送信周波数が、ｆ１ｔｘでロックされる。送信周波数が、ｆ１ｔｘでロック完了後、変調がかかり変調信号が出力される。引続きの送信状態で、送信周波数がｆ１ｔｘからｆ２ｔｘに切替る時には、プレス信号とは関係なく送信状態が解除され、送信周波数をｆ２ｔｘにロックさせ送信状態を保持し、変調信号が出力される。しかしながら、この送信周波数がｆ１ｔｘからｆ２ｔｘに切替る時には、送信信号の欠落が発生する。送信信号周波数が切替る都度、送信信号の欠落が発生し、また欠落時間が一定しないことより、受信側での受信時ポップノイズが多く発生する。
【００１１】
【発明が解決しようとする課題】
このように、周波数信号のみで制御する従来の周波数ホッピング方式無線機では、周波数ホッピング動作時の送信周波数の切替りおよび送信／受信の状態切替りにおいて、送信信号の欠落が発生するという問題点があった。
【００１２】
本発明は、上記の課題を解決することのできる周波数ホッピング方式の無線機を提供することを目的とする。
【００１３】
【課題を解決するための手段】
上記従来例の問題を解決するための本発明は、　搬送波を周波数ホッピングして送信情報によりＡＭ変調し、該ＡＭ変調により生成された送信信号を送信するときの周波数切替え方法において、周波数切替えタイミング以前に、予め周波数切替え予告信号を発生させ、第１の基準タイミング信号を発生させる手段と、前記第１の基準タイミング信号を所定の時間後に、第２の基準タイミング信号を発生させる手段と、前記第２の基準タイミング信号を用いて、前記送信信号をオフにするための制御を行う手段と、前記送信信号がオフの期間に、前記搬送波の周波数の切替えを行う手段と、前記第２の基準タイミング信号を用いて、前記送信信号を再びオンにするための制御を行う手段により、周波数切替え時点の前後において前記送信信号をオフとし、そのオフ期間を有した送信信号により前記周波数ホッピングした搬送波をＡＭ変調することを特徴とする周波数ホッピングＡＭ無線機の周波数切替え方式を提供する。
【００１４】
【発明の実施の形態】
本発明の実施の形態を、図面を参照しながら説明する。尚、以下で説明する回路は、その機能の一部又は全部をソフトウェアで実現することも可能である。更に、これらの回路を複数の回路によって実現してもよく、また複数の回路をまとめて単一の回路で実現するようにしてもよい。
【００１５】
本発明の実施形態に係る周波数ホッピング方式無線機は、周波数ホッピング機能を実現するために必要な周波数切替え信号および周波数切替え制御信号を出力するものであり、これら信号を周波数ホッピング可の状態で周波数信号発生部と受信部および送信部に選択して出力するものであり、通常はＡＭ無線機として利用できるが、ホッピング可の場合は、周波数ホッピング機能も簡易に利用できるものである。
【００１６】
尚、本発明のＡＭ受信機は、周波数ホッピング可の場合または不可の場合に動作形態が分かれるものであり、特に周波数ホッピング可の場合に、周波数信号発生部１−１からの周波数信号および切替え予告信号、タイミング制御部１−７からの出力制御信号が供給されて、周波数ホッピング方式を実現している。
【００１７】
上記従来例の問題を解決するための本発明について、図１および図２を用いて説明する。図１は、本発明の実施の形態に係る周波数ホッピング方式無線機のブロック図である。図２は、本発明の実施の形態に係る周波数ホッピング方式無線機の周波数ホッピング動作時における、周波数の切替わり、送信／受信の切替わりおよび変調信号波形についてのタイミング図である。
【００１８】
本発明の実施の形態に係る周波数ホッピング無線機について、図１に示すように、周波数信号発生部１−１と、受信部（ＡＭ復調方式）１−２と、送信部　（ＡＭ変調方式）１−３と、高速可変フィルタ１−４と、電力増幅部１−６と、送信／受信切替スイッチ（ＳＷ）３−５と、電力増幅部３−６と、タイミング制御部１−７から構成されている。
【００１９】
次に、本周波数ホッピング無線機の各部を具体的に説明する。周波数信号発生部１−１は、時々刻々と周波数を切替えて任意の周波数を決定し、特定パターンに従って特定周波数に切替え、周波数の切替えタイミングを指示する周波数信号を受信部（ＡＭ復調方式）１−２、送信部　（ＡＭ変調方式）１−３、送信／受信切替スイッチ（ＳＷ）１−５および高速可変フィルタ１−７に出力する。周波数信号発生部１−１は、送信状態では、送信部（ＡＭ変調方式）３−３へ送信周波数ｆｔｘを出力し、受信状態では、受信部３−２へ受信周波数ｆＬｏを出力する。周波数信号発生部１−１は、周波数信号の出力について予め通知する切替え予告信号を、タイミング制御部１−７に対して出力を行う。
【００２０】
タイミング制御部１−７は、プレス信号により、送信／受信の切替え制御が行われる。タイミング制御部１−７は、周波数信号発生部１−１から入力される切替え予告信号により作動し、本周波数ホッピング無線機各部からの信号出力／信号出力停止の切替え制御を行う。本発明の実施形態では、タイミング制御部１−７は、送信部（ＡＭ変調方式）１−３および電力増幅部１−６に対して、各々のタイミングで出力制御信号を出力することにより、各々から出力される信号の出力制御を行う。タイミング制御部１−７は、周波数信号発生部からの切替え予告信号の入力タイミングを基準にして、所定の時間後に本周波数ホッピング無線機各部への出力制御信号を出力するために、内部タイマを用いて出力制御信号の出力タイミングを作成する。
【００２１】
受信部（ＡＭ復調方式）１−２は、周波数信号発生部１−１から受信局発周波数ｆＬｏを受け取る。受信部（ＡＭ復調方式）１−２は、周波数信号発生部１−１からの周波数信号に同調したタイミングにより、受信周波数を切替える。
【００２２】
送信部（ＡＭ変調方式）１−３は、周波数信号発生部１−１から送信周波数ｆｔｘを受け取る。送信部（ＡＭ変調方式）１−３は、周波数信号発生部１−１からの周波数信号に同調したタイミングにより、送信／受信の切替え制御が行われ、送信周波数を切替え、送信信号を出力する。送信部（ＡＭ変調方式）１−３は、タイミング制御部１−７からの出力制御信号により、送信信号出力／信号出力停止の切替え制御を行う。
【００２３】
高速可変フィルタ１−４は、周波数信号発生部１−１からの周波数信号に同調したタイミングで制御される電子式フィルタである。高速可変フィルタ１−４は、受信時にはフロントエンドのフィルタとして機能し、送信時にはホッピング動作時に発生する目的外の周波数成分を除去するフィルタである。
【００２４】
送信／受信切替スイッチ（ＳＷ）１−５は、周波数信号発生部１−１からの周波数信号に同調したタイミングおよび出力制御信号により、送信／受信の切替えが行われる。
【００２５】
電力増幅部１−６は、周波数信号発生部１−１からの周波数信号に同調したタイミングにより、送信／受信の切替え制御が行われる。電力増幅部１−６は、送信状態では、送信信号を増幅し出力を行う。電力増幅部１−６は、タイミング制御部１−７からの出力制御信号により、送信信号の増幅出力／送信信号の増幅出力停止の切替え制御を行う。
【００２６】
時々刻々と周波数を切替えて任意の周波数を決定し、特定パターンに従って特定周波数に切替え、周波数の切替わるタイミングを、図２を用いて説明する。本発明の方式は、周波数ホッピング動作時の送信状態において、周波数信号発生部１−１は、周波数切替え時の制御信号として出力される周波数信号に対して予め前倒しするタイミングで切替え予告信号を、タイミング制御部１−７に出力する。本発明の実施形態では、周波数信号発生部１−１から出力される切替え予告信号は、周波数信号の切替りタイミングに対して時間ｎ前倒しして出力される。タイミング制御部１−７は、切替え予告信号から時間Ｎ遅らせて、電力増幅部１−６の電力増幅信号の出力を停止する電力増幅部用出力制御信号を出力する。更に、電力増幅部用出力制御信号の出力より時間Ｘ遅らせて、送信部（ＡＭ変調方式）１−３からの送信信号の増幅出力を停止する送信部用出力制御信号を出力する。
【００２７】
次に、タイミング制御部１−７は、時間ｔ１後に電力増幅部１−６に対して、電力増幅信号を出力する電力増幅部用出力制御信号を出力する。更に、時間ｔ２後に送信部（ＡＭ変調方式）１−３に対して、送信信号を出力する送信部用出力制御信号を出力する。
【００２８】
本発明の周波数ホッピング方式によれば、ホッピング動作時の周波数切替え時間は、Ｔ以下と規定される。本発明の方式は，時間ｔ１の間に電力増幅部１−６を、時間ｔ２の間に送信部の出力を停止することにより、本発明の無線機の送信信号の出力を停止し、その後再び送信信号の出力を行うことにより、周波数切替え時間を規定している。つまり、この時間Ｔ以内に無線機の送信信号の出力制御を完了することにより、送信信号の欠落時間を固定化する制御方式である。
【００２９】
本発明において、タイミング制御部１−７からの出力制御信号は、内部タイマの設定により、各部内部機能の動作に有用な制御信号として、タイミングが異なる多種多様なタイミング制御信号を作成することができる。例えば、周波数信号発生部１−１内部に設けたシンセサイザ回路の動作制御や送信部（ＡＭ変調方式）１−３内部に設けた変調励振回路の動作制御などに用いられる内部動作タイミングを制御する信号として利用できる。
【００３０】
以上、本発明を実施の形態を用いて説明したが、本発明の技術的範囲は上記実施形態に記載には限定されない。上記実施形態に、多様な変更または改良を加えることができる。そのうような変更または改良を加えた形態も本発明の技術的範囲に含まれ得ることが、特許請求の範囲の記載から明らかである。
【００３１】
【発明の効果】
上記説明から明らかなように、本発明によれば周波数ホッピング動作させる送受一体型ＡＭ無線機において、周波数切替時の受信音声信号の欠落時間を固定化し、振幅変調信号に生じる歪を低減した送信信号を出力することにより、受信側での受信時ポップノイズを低減することができる。
【図面の簡単な説明】
【図１】本発明の一実施形態に係る周波数ホッピング無線機のブロック図
【図２】本発明の周波数ホッピング無線機における、周波数ホッピング動作時の出力制御信号についてのタイミング図
【図３】従来の周波数ホッピング無線機のブロック図
【図４】従来の周波数ホッピング無線機における、周波数ホッピング動作時の周波数の切替りと変調信号波形についてのタイミング図
【符号の説明】
１−１、３−１　周波数信号発生部、　１−２、３−２　受信部（ＡＭ復調方式）、　１−３、３−３送信部（ＡＭ変調方式）、　１−４、３−４　高速可変フィルタ、　１−５、３−５　送信／受信切替スイッチ（ＳＷ）、　１−６、３−６　電力増幅部、　１−７　タイミング制御部
【図１】
2004088415.tif 000003
【図２】
2004088415.tif 000004
【図３】
2004088415.tif 000005
【図４】
2004088415.tif 000006